(57)【要約】【課題】遮光性樹脂ケースの開口部内での電子部品の位置決め及び半田付けを容易に行なうことを可能にする。【解決手段】チップ抵抗２２が開口部１５ｃに収められると、チップ抵抗２２の両側が各挟持部３１，３２に挟み込まれて支持されるので、チップ抵抗２２の半田付けに際し、チップ抵抗２２の位置ずれを生じることがなく、このためチップ抵抗２２の位置決め及び半田付けを容易かつ速やかに行なうことができる。また、各挟持部３１，３２のリブによりチップ抵抗２２を確実に仮固定することができ、チップ抵抗２２が破損せずに済む。更に、加熱溶融された半田が各半田スペース３３ａ，３３ｂから流出することもない。【選択図】図１
2004200593.tif 000002
【特許請求の範囲】
【請求項１】
電子部品を搭載するフレームと一体的に遮光性樹脂ケースをモールドした反射形フォトインタラプタにおいて、
電子部品を遮光性樹脂ケース外側からフレームに搭載するための開口部を該遮光性樹脂ケースに形成し、電子部品を挟み持つ挟持部を該開口部に設けたことを特徴とする反射形フォトインタラプタ。
【請求項２】
開口部の挟持部は、電子部品の両側を押え付ける複数のリブを有することを特徴とする請求項１に記載の反射形フォトインタラプタ。
【請求項３】
開口部の挟持部は、電子部品の一方側を押え付けるリブ、及び電子部品の他方側に嵌合する嵌合部を有することを特徴とする請求項１に記載の反射形フォトインタラプタ。
【請求項４】
開口部の挟持部は、電子部品を該開口部に導き入れるための傾斜面を有することを特徴とする請求項１に記載の反射形フォトインタラプタ。
【請求項５】
開口部の挟持部は、電子部品の外周にスペースを設けるための凹部を有することを特徴とする請求項１に記載の反射形フォトインタラプタ。
【請求項６】
開口部は、電子部品を半田付けするためのスペースを含み、このスペースの半田を該開口部及び電子部品により塞き止めることを特徴とする請求項１に記載の反射形フォトインタラプタ。
【請求項７】
フレームは、開口部内で電子部品を位置決めする形状を有することを特徴とする請求項１に記載の反射形フォトインタラプタ。
【請求項８】
請求項１乃至７のいずれかに記載の反射形フォトインタラプタを用いた電子機器。
【発明の詳細な説明】
【０００１】
【発明の属する技術分野】
本発明は、電子部品を搭載するフレームと一体的に遮光性樹脂ケースをモールドした反射形フォトインタラプタ及びそれを用いた電子機器に関する。
【０００２】
【従来の技術】
この種の従来の反射形フォトインタラプタとしては、例えば特許文献１に記載のものがある。この反射形フォトインタラプタでは、図７に示す様に各リードフレーム１０１，１０２，１０３，１０４と一体的に遮光性樹脂ケース１０５をモールドし、各開口部１０５ａ，１０５ｂ，１０５ｃを遮光性樹脂ケース１０５に形成し、受光素子１０６を開口部１０５ａを介してリードフレーム１０２のヘッダー１０２ａに搭載し、受光素子１０６を各ボンディングワイヤー１０７により各リードフレーム１０１，１０２，１０３に接続し、透光性樹脂１０８を開口部１０５ａにモールドしている。また、発光素子１０９を開口部１０５ｂを介してリードフレーム１０２のヘッダー１０２ａに搭載し、発光素子１０９をボンディングワイヤー１１０によりリードフレーム１０４に接続し、透光性樹脂１１１を開口部１０５ｂにモールドしている。更に、チップ抵抗１１２を開口部１０５ｃを介して各リードフレーム１０３，１０４間に配置し、チップ抵抗１１２の各端子を各リードフレーム１０３，１０４に半田付けし、透光性樹脂１１３を開口部１０５ｃにモールドしている。
【０００３】
【特許文献１】
特開平８−１３０３２５号公報
【０００４】
【発明が解決しようとする課題】
ところで、上記反射形フォトインタラプタでは、半田ごてを用いた手作業によりチップ抵抗１１２の半田付けを行なっているが、半田付けのときに開口部１０５ｃ内のチップ抵抗１１２を押え付けることができず、チップ抵抗１１２の位置がずれ易いことから、チップ抵抗１１２を接着剤などにより仮固定してから、チップ抵抗１１２の半田付けを行なう。このため、チップ抵抗１１２を取り付けるための作業工程が繁雑であった。しかも、接着剤などにより仮固定を行なう際に、チップ抵抗１１２の位置がずれることがあり、チップ抵抗１１２の位置決めに多くの時間と労力を費やさねばならなかった。
【０００５】
そこで、本発明は、上記従来の問題点に鑑みてなされたものであり、遮光性樹脂ケースの開口部内での電子部品の位置決め及び半田付けを容易に行なうことが可能な反射形フォトインタラプタ及びそれを用いた電子機器を提供することを目的とする。
【０００６】
【課題を解決するための手段】
上記課題を解決するために、本発明は、電子部品を搭載するフレームと一体的に遮光性樹脂ケースをモールドした反射形フォトインタラプタにおいて、電子部品を遮光性樹脂ケース外側からフレームに搭載するための開口部を該遮光性樹脂ケースに形成し、電子部品を挟み持つ挟持部を該開口部に設けている。
【０００７】
この様な構成の本発明によれば、電子部品を挟み持つ挟持部を遮光性樹脂ケースの開口部に設けている。このため、電子部品を開口部を介してフレームに搭載したときには、電子部品が開口部の挟持部により挟み持たれて位置決めされることになり、電子部品の位置ずれを招くことなく、電子部品の半田付け等を容易に行なうことができる。
【０００８】
また、本発明においては、開口部の挟持部は、電子部品の両側を押え付ける複数のリブを有している。
【０００９】
これらのリブは、電子部品の両側を押え付けるときに適宜に変形するため、電子部品のサイズや形状等にバラツキがあっても、電子部品を確実に仮固定することができる。また、リブが変形することから、電子部品が破損せずに済む。
【００１０】
更に、本発明においては、開口部の挟持部は、電子部品の一方側を押え付けるリブ、及び電子部品の他方側に嵌合する嵌合部を有する。
【００１１】
この様に電子部品の他方側に嵌合する嵌合部を格別に設ければ、電子部品の位置決めをより正確に行なうことができる。
【００１２】
また、本発明においては、開口部の挟持部は、電子部品を該開口部に導き入れるための傾斜面を有する。
【００１３】
この様な傾斜面を格別に設ければ、電子部品を開口部に容易に収めることができる。
【００１４】
更に、本発明においては、開口部の挟持部は、電子部品の外周にスペースを設けるための凹部を有する。
【００１５】
この様な電子部品の外周にスペースを設けるための凹部を格別に設ければ、例えば電子部品をピンセット等により挟んで開口部に入れるときに、ピンセットの先端を凹部に突っ込んで、ピンセットの先端を開口部の縁に引っ掛けずに、電子部品を開口部に容易に収めることができる。
【００１６】
また、本発明においては、開口部は、電子部品を半田付けするためのスペースを含み、このスペースの半田を該開口部及び電子部品により塞き止めている。
【００１７】
この様に電子部品を半田付けするためのスペースを開口部に格別に設け、このスペースの半田を該開口部及び電子部品により塞き止めれば、半田付けをより容易に行なうことができ、半田の流出を防止することができる。
【００１８】
更に、本発明においては、フレームは、開口部内で電子部品を位置決めする形状を有している。
【００１９】
この様に開口部内のフレーム形状を格別に設定すれば、電子部品の位置決めをより正確に行なうことができる。
【００２０】
一方、本発明の電子機器は、本発明の反射形フォトインタラプタを用いたものである。
【００２１】
すなわち、本発明は、反射形フォトインタラプタだけではなく、反射形フォトインタラプタを用いた電子機器を包含する。電子機器としては、ＤＶＤ、ＶＴＲ、ＣＤ等の再生装置、受像装置、電源、インバータ等があり、入出力間を絶縁して信号伝達を行う回路を含むものであれば、如何なる種類のものであっても構わない。
【００２２】
【発明の実施の形態】
以下、本発明の実施形態を添付図面を参照して詳細に説明する。
【００２３】
図１は、本発明の反射形フォトインタラプタの一実施形態を示す斜視図である。本実施形態の反射形フォトインタラプタ１０では、各リードフレーム１１，１２，１３，１４と一体的に遮光性樹脂ケース１５をモールドし、各開口部１５ａ，１５ｂ，１５ｃを遮光性樹脂ケース１５に形成し、受光素子１６を開口部１５ａを介してリードフレーム１２のヘッダー１２ａに搭載し、受光素子１６を各ボンディングワイヤー１７により各リードフレーム１１，１２，１３に接続し、透光性樹脂１８を開口部１５ａにモールドしている。また、発光素子１９を開口部１５ｂを介してリードフレーム１２のヘッダー１２ａに搭載し、発光素子１９をボンディングワイヤー２０によりリードフレーム１４に接続し、透光性樹脂２１を開口部１５ｂにモールドしている。更に、チップ抵抗２２を開口部１５ｃを介して各リードフレーム１３，１４間に配置し、チップ抵抗２２の各端子２２ａ，２２ｂを各リードフレーム１３，１４に半田付けし、透光性樹脂２３を開口部１５ｃにモールドしている。
【００２４】
ここで、図２に示す様に開口部１５ｃには、その対向する２辺から突出するそれぞれの挟持部３１，３２を設けている。そして、挟持部３１に一対のリブ３１ａを設け、同様に挟持部３２に一対のリブ３２ａを設けている。挟持部３１の各リブ３１ａと挟持部３２の各リブ３２ａの間隔は、チップ抵抗２２の幅よりも僅かに狭くされている。このため、チップ抵抗２２が開口部１５ｃに収められると、チップ抵抗２２が挟持部３１の各リブ３１ａと挟持部３２の各リブ３２ａ間で押え付けられて支持され、チップ抵抗２２の各端子２２ａ，２２ｂが各リードフレーム１３，１４上にそれぞれ位置決めされる。
【００２５】
このとき、挟持部３１の各リブ３１ａ及び挟持部３２の各リブ３２ａは、チップ抵抗２２により押圧されて変形する。このため、チップ抵抗２２のサイズや形状等にバラツキがあっても、チップ抵抗２２を確実に仮固定することができ、かつチップ抵抗２２が破損せずに済む。
【００２６】
チップ抵抗２２が開口部１５ｃに収められた状態では、チップ抵抗２２の各端子２２ａ，２２ｂの周辺にそれぞれの半田スペース３３ａ，３３ｂが形成される。これらの半田スペース３３ａ，３３ｂに半田ごての先端等が挿入され、チップ抵抗２２の各端子２２ａ，２２ｂが各リードフレーム１３，１４に半田付けされる。この半田付けに際しては、チップ抵抗２２が半田ごての先端等により押されることがあるものの、チップ抵抗２２が各挟持部３１，３２に挟み込まれて支持されているので、チップ抵抗２２の位置ずれが生じることはない。また、各半田スペース３３ａ，３３ｂがチップ抵抗２２の各端子２２ａ，２２ｂによりそれぞれ塞き止められて閉塞しているので、加熱溶融された半田が各半田スペース３３ａ，３３ｂから流出せずに済む。
【００２７】
この様に本実施形態では、チップ抵抗２２が開口部１５ｃに収められると、チップ抵抗２２の両側が各挟持部３１，３２に挟み込まれて支持されるので、チップ抵抗２２の半田付けに際し、チップ抵抗２２の位置ずれを生じることがない。このため、従来の様にチップ抵抗２２を接着剤により仮固定する必要がなく、半田付けに際しチップ抵抗２２の位置ずれが生じることもなく、チップ抵抗２２の位置決め及び半田付けを容易かつ速やかに行なうことができる。また、各挟持部３１，３２のリブによりチップ抵抗２２を確実に仮固定することができ、チップ抵抗２２が破損せずに済む。更に、加熱溶融された半田が各半田スペース３３ａ，３３ｂから流出することもない。
【００２８】
図３は、反射形フォトインタラプタ１０におけるチップ抵抗２２を収める開口部の変形例を示す断面図である。この開口部１５ｃ1では、チップ抵抗２２の各端子２２ａ，２２ｂに半田付けされる各リードフレーム１３，１４の部分１３ａ，１４ａを折り曲げ加工して傾斜させている。
【００２９】
チップ抵抗２２を開口部１５ｃ1に入れるに際し、チップ抵抗２２の各端子２２ａ，２２ｂを各リードフレーム１３，１４の部分１３ａ，１４ａに当接させて滑らせれば、チップ抵抗２２を開口部１５ｃ1に容易に収めることができる。そして、チップ抵抗２２を各リードフレーム１３，１４の部分１３ａ，１４ａに挟み込んで正確に位置決めすることができる。
【００３０】
図４は、反射形フォトインタラプタ１０におけるチップ抵抗２２を収める開口部の他の変形例を示す平面図である。この開口部１５ｃ2では、図２の挟持部３２の代わりに、挟持部３４を設けている。挟持部３４は、チップ抵抗２２が嵌合する嵌合部３４ａを有するものである。
【００３１】
チップ抵抗２２が開口部１５ｃ2に収められた状態では、チップ抵抗２２が挟持部３１の各リブ３１ａと挟持部３４の嵌合部３４ａ間に挟み込まれて支持される。そして、チップ抵抗２２が挟持部３４の嵌合部３４ａに嵌合して正確に位置決めされる。
【００３２】
図５は、反射形フォトインタラプタ１０におけるチップ抵抗２２を収める開口部の別の変形例を示す平面図である。また、図６は、図５のＡ−Ａに沿う断面図である。
【００３３】
この開口部１５ｃ3では、図２の各挟持部３１，３２の代わりに、各挟持部３５，３６を設けている。挟持部３５は、各リブ３５ａ、各リブ３５ａの傾斜面３５ｂ、及び凹部３５ｃを有するものである。また、挟持部３６は、チップ抵抗２２が嵌合する嵌合部３６ａ、嵌合部３６ａの傾斜面３６ｂ、及び凹部３６ｃを有するものである。
【００３４】
例えば、チップ抵抗２２をピンセット等により挟んで開口部１５ｃ3に入れるに際し、ピンセットの先端を挟持部３５の凹部３５ｃ及び挟持部３６の凹部３６ｃに突っ込んで、チップ抵抗２２を各リブ３５ａの傾斜面３５ｂや嵌合部３６ａの傾斜面３６ｂに当接させて滑らせれば、ピンセットの先端を開口部１５ｃ3の縁に引っ掛けずに、チップ抵抗２２を開口部１５ｃ3に容易に収めることができる。
【００３５】
尚、本発明は、上記実施形態及び各変形例に限定されるものではなく、多様に変形することができる。例えば、上記実施形態及び各変形例を適宜に組み合わせても構わない。また、開口部や挟持部のサイズや形状等を適宜に変更しても良い。更に、チップ抵抗だけではなく、チップコンデンサやチップインダクタ等の他の電子部品を開口部内で支持するために、本発明を適用しても良い。
【００３６】
また、本発明は、反射形フォトインタラプタだけではなく、反射形フォトインタラプタを用いた電子機器を包含する。電子機器としては、ＤＶＤ、ＶＴＲ、ＣＤ等の再生装置、受像装置、電源、インバータ等があり、入出力間を絶縁して信号伝達を行う回路を含むものであれば、如何なる種類のものであっても構わない。
【００３７】
【発明の効果】
以上説明した様に本発明によれば、電子部品を挟み持つ挟持部を遮光性樹脂ケースの開口部に設けている。このため、電子部品を開口部を介してフレームに搭載したときには、電子部品が開口部の挟持部により挟み持たれて位置決めされることになり、電子部品の位置ずれを招くことなく、電子部品の半田付け等を容易に行なうことができる。
【図面の簡単な説明】
【図１】本発明の反射形フォトインタラプタの一実施形態を示す斜視図である。
【図２】図１の反射形フォトインタラプタにおけるチップ抵抗を収める開口部を示す平面図である。
【図３】図１の反射形フォトインタラプタにおけるチップ抵抗を収める開口部の変形例を示す断面図である。
【図４】図１の反射形フォトインタラプタにおけるチップ抵抗を収める開口部の他の変形例を示す平面図である。
【図５】図１の反射形フォトインタラプタにおけるチップ抵抗を収める開口部の別の変形例を示す平面図である。
【図６】図５のＡ−Ａに沿う断面図である。
【図７】従来の反射形フォトインタラプタを示す斜視図である。
【符号の説明】
１０  反射形フォトインタラプタ
１１，１２，１３，１４  リードフレーム
１５  遮光性樹脂ケース
１５ａ，１５ｂ，１５ｃ  開口部
１６  受光素子
１７，２０  ボンディングワイヤー
１９  発光素子
２１，２３  透光性樹脂
２２  チップ抵抗
３１，３２，３４，３５，３６  挟持部
３３ａ，３３ｂ  半田スペース
【図１】
2004200593.tif 000003
【図２】
2004200593.tif 000004
【図３】
2004200593.tif 000005
【図４】
2004200593.tif 000006
【図５】
2004200593.tif 000007
【図６】
2004200593.tif 000008
【図７】
2004200593.tif 000009